(57)【特許請求の範囲】
【請求項１】
水面下となる周縁から上向きに中心部に向かって傾斜した傾斜面を有し、前記中心部に開口を有する本体と、該本体の外部から進入する水を取り込む、前記開口の下方に設けられたプールと、前記本体の前記傾斜面上に前記中心部から前記傾斜面上を下端側の周縁に向かって放射状に立設した、波を収斂するための収斂堤とを備え、前記中心部が水面上に出るように前記本体を水面に浮かせて、波の動きにともなって前記本体の外部から進入する水を利用して発電する水上発電装置において、
前記プールは、上部プールと下部プールとに仕切られており、前記上部プールは前記開口側が開放されており、前記上部プールと下部プールとを連通する連通部を有し、
前記傾斜面に設けた取水口から前記上部プールまで連通し、前記本体の外部の水を前記上部プールに取り込むための取水路と、
前記傾斜面に設けた排水口から前記下部プールまで連通し、該下部プールの水を前記本体の外部に排水するための排水路と、
前記連通部内に配設された水車と、
前記水車の回転に連動して発電する発電機と、を備え、
前記収斂堤に区切られた前記傾斜面を遡上して前記開口から前記上部プール内に進入したり、前記取水口から前記上部プール内に取り込まれたりした前記プール内の水の水位と本体外部の水の水位との水位差によって前記水車を回転させて、前記発電機に発電させることを特徴とする水上発電装置。
【請求項２】
前記本体は、前記本体の中心部の下方に向けて延設された支持部の下端部に取り付けられた錘を備え、
前記錘は、本体の中心線方向に直交して広がる抵抗面を有し、前記本体の中心線方向をほぼ鉛直に保つとともに、前記抵抗面の水に対する抵抗によって前記本体の上下動を減じることを特徴とする請求項１に記載の水上発電装置。
【請求項３】
前記本体の上部から上方に向けて延設した支柱に風を受けて回転する風車を有し、該風車の回転によって発電する風力発電装置を備えたことを特徴とする請求項２に記載の水上発電装置。
【請求項４】
前記錘が取り付けられた前記支持部は、上下方向に変位可能に設けられ、
前記錘は、前記支持部を上下方向に変位させて上下位置を変更可能に設けられたことを特徴とする請求項２または３に記載の水上発電装置。
【請求項５】
前記支持部は、前記本体の中心部の下方に伸縮可能な多段状を成すものであり、
前記錘は、前記支持部の下端部に取り付けられたことを特徴とする請求項４に記載の水上発電装置。
【請求項６】
前記錘は、内部に貯水可能な空洞の浮力室を備えたことを特徴とする請求項２から５のいずれか一項に記載の水上発電装置。
【請求項７】
前記本体の周縁から垂下可能なスカートを備え、
前記スカートの下部と前記錘とを連結して、前記本体と錘とが成す構造の強度を補強したことを特徴とする請求項２から６のいずれか一項に記載の水上発電装置。
【請求項８】
前記取水路は、前記上部プールに取り込んだ水が前記本体の外部側へ逆流することを防止するための逆止手段が設けられ、
前記排水路は、前記本体の外部の水が前記下部プールに進入することを防止するための進入防止手段が設けられたことを特徴とする請求項１から７のいずれか一項に記載の水上発電装置。
【請求項９】
前記取水路と排水路とを並設したものを一組とし、前記取水路と排水路の複数組を前記傾斜面の全周にわたって配設したことを特徴とする請求項１から８のいずれか一項に記載の水上発電装置。
【発明の詳細な説明】
【技術分野】
【０００１】
本発明は、水面上に浮かばせた本体に水車と、発電機および風力発電装置を搭載し、河川水の水流や海流、潮流、潮汐、波力、風力などを利用して発電する水上発電装置に関する。
【背景技術】
【０００２】
従来から地球温暖化や様々な地球環境破壊などが叫ばれてきたが、これらの問題は近年になってますます大きくなっている。これらは、化石エネルギー資源の使用による二酸化炭素排出問題とも密接に関連しているとも言われている。その化石エネルギー資源には、枯渇などエネルギー資源そのものの量的問題等の別の問題もある。これらの問題に対して省エネルギーや省資源が叫ばれる一方で、二酸化炭素排出のないクリーンな自然エネルギーの早期導入や早期実用化が全世界的な課題になっている。
【０００３】
また、原子力発電による電気エネルギーの供給が行われているが、原子力利用に関する問題には、原子力発電所などの原子炉の老朽化や地震、天災、人災などに伴って発生し得る放射能漏れ事故がある。周知のように放射能は生態環境への悪影響が大きく、放射能漏れ事故が発生したときには、地域住民の生活環境への悪影響が大きく、被害も甚大になる虞がある。
【０００４】
そこで、自然エネルギーの利用に着目すると、例えば水の流れの比較的緩やかな河口付近の河川水においては、水の流れに比較的大きな水流エネルギーが存在する。したがって、これを円錐形状浮体などごく簡単な手段を用いて人間生活に利用することができれば、二酸化炭素削減にも大きな効果が得られる。
【０００５】
また、海洋においては、現在は人の住めないような無人島、例えば尖閣諸島や沖ノ鳥島、竹島、小笠原諸島などの島々への居住を可能にしたり、釣り場や観光地としての可能性を高めたりするためにはこれらのような離島への石油などの運搬費とエネルギー資源の節約が必要とされる。また、離島における観光、水産業などの拡大による島民の生活向上や利便性の向上、或いは国民の広域活動と都市集中型人口の分散化などを図るために、海洋エネルギー資源を有効に利用する必要がある。
【０００６】
海洋における波エネルギー、風力、太陽光、海流、潮汐等の海洋エネルギー資源や湖沼、河川における波エネルギー、水流のエネルギー等を利用するものとして、本願発明者が既に特許文献１で提案した波エネルギー利用装置がある。すなわち、波エネルギー利用装置１は、水面下端側の周縁から上向きに中心部に向って傾斜した傾斜面３ｂを有し、中心部に開口３ａを有する本体１０と、本体１０の傾斜面３ｂ上に中心部から傾斜面３ｂ上を下端側の周縁に向って放射状に立設した、波を収斂するための収斂堤１１と、開口３ａから下方に設けられ、水中側に連通する連通部１５を有するプールと、連通部１５に配置された水車１６と、水車１６の回転に連動して発電する発電機１８とを備え、中心部が水面上に出るように本体１０を水面に浮かせて、波の動きにともなって中心部から本体１０のプール内に進入する水を利用するものであり、収斂堤１１に区切られた傾斜面３ｂを遡上して開口３ａからプール内に進入した水の水位と本体１０外部の水の水位との水位差によって前記水車１６を回転させて、発電機１８に発電させるものである。
【先行技術文献】
【特許文献】
【０００７】
【特許文献１】特許第４６２８８４４号公報
【発明の概要】
【発明が解決しようとする課題】
【０００８】
しかしながら、海洋上や湖沼や河川での波の状態や水流の状態は様々である。このため、これらの状態が発電のために好ましくないような場合でも、所定以上の発電量が得られるようにするために更なる発電効率の向上が求められてきた。  
【０００９】
本発明は、このような従来の技術が有する課題に着目してなされたもので、海域や淡水域における波や気象などの状態にかかわらず、所定以上の発電量が安定して得られるように発電効率を高めることができるようにした水上発電装置を提供することを目的としている。
【課題を解決するための手段】
【００１０】
かかる目的を達成するための本発明の要旨とするところは、次の各項の発明に存する。  ［１］  水面下となる周縁から上向きに中心部に向かって傾斜した傾斜面（３ｂ）を有し、前記中心部に開口（３ａ）を有する本体（１０）と、該本体（１０）の外部から進入する水を取り込む、前記開口（３ａ）の下方に設けられたプール（６）と、前記本体（１０）の前記傾斜面（３ｂ）上に前記中心部から前記傾斜面（３ｂ）上を下端側の周縁に向かって放射状に立設した、波を収斂するための収斂堤（１１）とを備え、前記中心部が水面上に出るように前記本体（１０）を水面に浮かせて、波の動きにともなって前記本体（１０）の外部から進入する水を利用して発電する水上発電装置（１）において、
前記プール（６）は、上部プール（６ａ）と下部プール（６ｂ）とに仕切られており、前記上部プール（６ａ）は前記開口（３ａ）側が開放されており、前記上部プール（６ａ）と下部プール（６ｂ）とを連通する連通部（１５）を有し、
前記傾斜面（３ｂ）に設けた取水口（２１）から前記上部プール（６ａ）まで連通し、前記本体（１０）の外部の水を前記上部プール（６ａ）に取り込むための取水路（２２）と、
前記傾斜面（３ｂ）に設けた排水口（３１）から前記下部プール（６ｂ）まで連通し、該下部プール（６ｂ）の水を前記本体（１０）の外部に排水するための排水路（３２）と、
前記連通部（１５）内に配設された水車（１６）と、
前記水車（１６）の回転に連動して発電する発電機（１２）と、を備え、
前記収斂堤（１１）に区切られた前記傾斜面（３ｂ）を遡上して前記開口（３ａ）から前記上部プール（６ａ）内に進入したり、前記取水口（２１）から前記上部プール（６ａ）内に取り込まれたりした前記プール（６）内の水の水位と本体外部の水の水位との水位差によって前記水車（１６）を回転させて、前記発電機（１２）に発電させることを特徴とする水上発電装置（１）。
【００１１】
［２］  前記本体（１０）は、前記本体（１０）の中心部の下方に向けて延設された支持部（４０）の下端部に取り付けられた錘（５０）を備え、
前記錘（５０）は、本体の中心線方向に直交して広がる抵抗面を有し、前記本体（１０）の中心線方向をほぼ鉛直に保つとともに、前記抵抗面の水に対する抵抗によって前記本体（１０）の上下動を減じることを特徴とする項１に記載の水上発電装置（１）。
【００１２】
［３］  前記本体（１０）の上部から上方に向けて延設した支柱（４０１）に風を受けて回転する風車（４０２）を有し、該風車（４０２）の回転によって発電する風力発電装置（４００）を備えたことを特徴とする項２に記載の水上発電装置（１）。
【００１３】
［４］  前記錘（５０）が取り付けられた前記支持部（４０）は、上下方向に変位可能に設けられ、
前記錘（５０）は、前記支持部（４０）を上下方向に変位させて上下位置を変更可能に設けられたことを特徴とする項２または３に記載の水上発電装置（１）。
【００１４】
［５］  前記支持部（４０）は、前記本体（１０）の中心部の下方に伸縮可能な多段状を成すものであり、
前記錘（５０）は、前記支持部（４０）の下端部に取り付けられたことを特徴とする項４に記載の水上発電装置（１）。
【００１５】
［６］  前記錘（５０）は、内部に貯水可能な空洞の浮力室（５１）を備えたことを特徴とする項２から５のいずれか一項に記載の水上発電装置（１）。
【００１６】
［７］  前記本体（１０）の周縁から垂下可能なスカート（５）を備え、
前記スカート（５）の下部と前記錘（５０）とを連結して、前記本体（１０）と錘（５０）とが成す構造の強度を補強したことを特徴とする項２から６のいずれか一項に記載の水上発電装置（１）。
【００１７】
［８］  前記取水路（２２）は、前記上部プール（６ａ）に取り込んだ水が前記本体（１０）の外部側へ逆流することを防止するための逆止手段（２３）が設けられ、
前記排水路（３２）は、前記本体（１０）の外部の水が前記下部プール（６ｂ）に進入することを防止するための進入防止手段（３３）が設けられたことを特徴とする項１から７のいずれか一項に記載の水上発電装置（１）。
【００１８】
［９］  前記取水路（２２）と排水路（３２）とを並設したものを一組とし、前記取水路（２２）と排水路（３２）の複数組を前記傾斜面（３ｂ）の全周にわたって配設したことを特徴とする項１から８のいずれか一項に記載の水上発電装置（１）。
【００１９】
前記本発明は、次のように作用する。  
水上発電装置（１）は、海洋や湖沼、河川のような水域の水底（海底）に設置した係留装置の係留チェーン（２）により本体（１０）を係留して、水面上に浮遊させておく。この水上発電装置（１）に寄せて来た波（Ｗ）や水流は、収斂堤（１１）で仕切られた本体（１０）の傾斜面（３ｂ）に乗り上がり、傾斜面（３ｂ）を中心部の開口（３ａ）に向かって進む。
【００２０】
隣り合う収斂堤（１１）同士の間隔は中心部に向かって狭くなっているので、傾斜面（３ｂ）に乗り上がった波、河川の水流、海流、潮流、潮汐などの水流は、傾斜面（３ｂ）上を中心部に近付くにつれて収斂されて波高や水流の山が大きくなる。波高や水流の山が最も大きくなったところで開口（３ａ）から上部プール（６ａ）内に落ちる。
【００２１】
また、波や水流は、開口（３ａ）から上部プール（６ａ）に入るほか、本体（１０）の傾斜面（３ｂ）に設けた取水口（２１）から取水路（２２）に入って上部プール（６ａ）に流れ込む。このため、波が傾斜面（３ｂ）を開口（３ａ）まで遡上する程高くなかったり、水流が傾斜面（３ｂ）を開口（３ａ）まで上る程強くない状況下でも、上部プール（６ａ）に水を取り込むことができる。
【００２２】
上部プール（６ａ）に入った水は、傾斜面（３ｂ）を遡上した水位と本体（１０）の外部の水の水位との水位差によって、上部プール（６ａ）と下部プール（６ｂ）とを連通する連通部（１５）内に配設した水車（１６）を回転させる。水車（１６）が回転すると、水車（１６）に連動する発電機（１２）が発電をする。
【００２３】
水車（１６）を回転させた水は、連通部（１５）によって連通されている下部プール（６ｂ）へ流れ込む。下部プール（６ｂ）へ入った水は、上部プール（６ａ）から入ってくる水に押されて排水路（３２）を通って傾斜面（３ｂ）に設けられた排水口（３１）から本体（１０）の外へ排水される。
【００２４】
なお、取水路（２２）には上部プール（６ａ）に取り込んだ水が本体（１０）の外部側へ逆流することを防止するための逆止手段（２３）を設け、排水路（３２）には本体（１０）の外部の水が下部プール（６ｂ）に進入することを防止するための進入防止手段（３３）を設けたものでは、それぞれの水路（２２，３２）において逆流が防止されるので、より効率よく発電することができる。
【００２５】
また、取水路（２２）および排水路（３２）は、それらを一組とし、取水路（２２）と排水路（３２）の複数組を傾斜面（３ｂ）の全周にわたって略等間隔に配設することが望ましい。これにより、寄せてくる波の方向や水流の方向に対する本体（１０）の向きにかかわらず、効率よく波や水流を利用することができる。
【００２６】
本体（１０）の中心部の下方に向けて延設された支持部（４０）の下端部に錘（５０）が取り付けられ、該錘（５０）は、本体（１０）の中心線方向に直交して広がる抵抗面を有するものでは、波を受けても本体（１０）の中心線方向をほぼ鉛直に保つことができるとともに、抵抗面の水に対する抵抗によって本体（１０）の上下動を減じることもできるので、安定した発電を行うことができる。
【００２７】
さらに本体（１０）の上部から上方に向けて延設した支柱（４０１）に風を受けて回転する風車（４０２）を設け、該風車（４０２）の回転によって発電する風力発電装置（４００）を備えたものでは、水力による発電に加えて風力を利用した発電も行えるので、より多くの発電量を得ることができる。さらに、前記のような錘（５０）の作用で装置本体（１０）の縦方向の中心線がほぼ鉛直に保たれるとともに、錘（５０）の抵抗面による水の抵抗を利用して上下動が拘束されて風力発電装置（４００）を支える支柱（４０１）がほぼ鉛直に保たれるので、風力発電装置（４００）の風車（４０２）を安全に、かつ、スムーズに回転させることができて発電効率が上昇する。さらに、水上発電装置（１）の破壊や故障を防止することができる。
【００２８】
また、錘（５０）を取り付けた支持部（４０）が上下方向に変位可能なものにあっては、水上発電装置（１）の移動の際に錘（５０）を上方に変位させておくことにより、水深の浅いところでも容易に移動させることができ、また、水上発電装置（１）全体のバランスの調整等ができるので、水上発電装置（１）を安全に曳航し、運転することができる。
【００２９】
また、錘（５０）をその内部に貯水可能な空洞の浮力室（５１）を備えたものにあっては、浮力室（５１）を空にしたり、任意の水量を貯水したりすることにより、水上発電装置（１）全体のバランスをより良く調整することができる。  
【００３０】
また、本体（１０）の周縁から垂下可能なスカート（５）を備え、該スカート（５）の下部と錘（５０）とを連結したものにあっては、本体（１０）と錘（５０）とが成す構造の強度を補強することができる。
【発明の効果】
【００３１】
本発明にかかる水上発電装置によれば、水面上に浮かんだ本体外部の水位と本体の傾斜面の上端の開口からだけではなく、傾斜面に設けた取水口からもプール内に水を取り込み、プール内の水の水位との水位差によって水車を回転させ、その回転力で発電機を駆動して発電するので、発電効率が高まって所定以上の発電量を安定して得ることができる。
【００３２】
また、装置本体の中心部の下方に向けて延設された支持部の下端部に錘を取り付け、該錘に本体の中心線方向に直交して広がる抵抗面を設けたものでは、水上発電装置の姿勢を安定させ、水上発電装置の上下動も減じることもできるので、安定した発電を行うことができる。
【００３３】
さらに、錘を上下方向に変位可能にしたものでは、ドックなど水上発電装置の製作工場から、装置の設置海域までの曳航時の風圧などにおける転倒防止に、運転時の安定性、バランスの調整ができるため、安全に曳航、運転することができる。
【００３４】
また、水上発電装置下部に設ける錘の内部に浮力室を設けることにより、錘ならびに錘の支持部の位置の調整、支持部の伸縮など長さの調整時に作業を容易にすることができる。
【００３５】
また、プール内に多量の水が貯水されることにより、装置の固有振動数、固有周期などに関係し、急激な水上発電装置の振動や上下動を抑え、水上発電装置の上部に設けた風力発電装置の振動ならびに上下動を防止するため、風力発電装置を効率よく作動させることができる。
【図面の簡単な説明】
【００３６】
【図１】本発明の一実施の形態に係る水上発電装置の縦断面図である。
【図２】本発明の一実施の形態に係る水上発電装置の本体を示す平面図である。
【図３】図１の水上発電装置の本体を示す拡大縦断面図である。
【図４】図１の水上発電装置を流水域に設置した場合を示す説明図である。
【図５】図４の水上発電装置における本体を示す拡大縦断面図である。
【図６】図１における錘が取り付けられる支持部の構成を説明する図である。
【図７】図１における発電機を制御するための回路の一例を示す回路図である。
【図８】図１における発電機を制御するための回路の別の一例を示す回路図である。
【発明を実施するための形態】
【００３７】
以下、図面に基づき本発明の好適な一実施の形態を説明する。  
図１から図８は本発明の一実施の形態を示している。  
図１は、本発明の一実施の形態に係る水上発電装置の構成を示す縦断面図であり、波のある水域に配置した場合を示すものである。図２は、図１の水上発電装置の本体を示す平面図であり、図３は、図１の水上発電装置の本体を示す拡大縦断面図である。  
【００３８】
水上発電装置１は、海や湖沼、河川等の水のある水域に設置して、河川など水の流れや海洋上の海流、潮流、潮汐、或いは、波や風力などのエネルギーを有効に利用して、本体１０の上下動を拘束するとともに、発電や水の鉛直交換、消波などもすることができるものである。以下の説明では、水上発電装置１を海において使用するものとして説明する。
【００３９】
図１に示したように、本発明の水上発電装置１は、本体１０が水底ＳＧから係留チェーン２により係留されており、水面Ｓ上に浮上している。水面Ｓに浮上している本体１０は、中心部が水面Ｓよりも上方に突き出すように浮力が調整されている。中心部には後述するように水が入り込む開口３ａが形成されている。本体１０は、この開口３ａから下向に傾斜した傾斜面３ｂを有する板状の傾斜部３を有しており、傾斜部３の下端周縁は、水面下となるように構成されている。
【００４０】
図２に示したように、本体１０は、上から見たときに傾斜部３の下端周縁がほぼ均等な長さの複数の辺からなるほぼ正多角形をなしている。この上から見た形状は、多角形に限らず、円形、楕円形などにしてもよい。
【００４１】
水上発電装置１のほぼ中心部、すなわち、開口３ａの周縁からは、傾斜面３ｂ上を傾斜部３の下端周縁に向かってほぼ均等の角度をもって放射状に延びる板状の収斂堤１１が立設されている。この収斂堤１１は、開口３ａ側から傾斜部３の下端周縁側までその上縁の高さの位置が変わらない。言い換えると、傾斜部３の傾斜面３ｂから収斂堤１１の上縁までの高さは、傾斜面３ｂが開口３ａ側から下端周縁に向かって低くなるに従って、傾斜部３から収斂提１１の上縁までの高さが高くなっている。この収斂堤１１の内部には、水上発電装置１に浮力を与えるための不図示の浮力室が形成されている。
【００４２】
傾斜部３の傾斜面３ｂ上に立設されている収斂堤１１の各々には、傾斜部３の下端周縁側の端部にバランス浮体Ｂが取り付けられている。このバランス浮体Ｂは、水上発電装置１に浮力を与えるためのものである。したがって、バランス浮体Ｂの浮力の大きさによっては前記した収斂堤１１の内部の浮力室は、ある程度小さくしてもよい。
【００４３】
バランス浮体Ｂは、約半分程度が水面Ｓ上に出て、残りの約半分は水面Ｓ下に没する程度に設定されている。これにより、設置水域に大波などが発生しても、水上発電装置１が転倒することを防止することができる。また、バランス浮体Ｂは、船などに衝突された場合の緩衝装置の役目も果たしている。
【００４４】
水上発電装置１の全体に亘って本体１０の周縁には、本体１０を囲むようにスカート５が取り付けられている。このスカート５は、格子状に組んだ骨組みと各格子を覆う網目状の金網やプラスチック網から成っており、上下に可動或いは着脱可能なものである。スカート５は、水上発電装置１の運搬時には邪魔にならないように上方に吊り上げたり、取り外したりしておくことができる。
【００４５】
このスカート５は、装置の稼動時には本体１０の側壁４から水中に吊り下げておくことにより、波による揺動や振動、傾きなどを抑制して本体１０の安定性を向上させることができる。また、スカート５の網目を通過しようとする波を消波できるので、水上発電装置１全体による消波効果等を高めることができる。水上発電装置１による消波の例としては、波の来る側で傾斜部３の傾斜面３ｂを遡上する波の収斂、波打ち作用、砕波現象などの繰り返しによって成される消波がある。
【００４６】
また、スカート５は網目形状を有しているので、外側で運動している波の水粒子の運動が水上発電装置１の下部内に進入することを防止し、水粒子の運動が網目を通過することにより、水粒子の運動を変化させて消波させると共に、水の流通を良くすることができる。
【００４７】
なお、水上発電装置１の姿勢の安定性を向上させるためにスカート５の下方に錘５０を設けてもよい。  
また、スカート５の網目は、海水中の生物の付着をし易くした機能を有し、浮漁礁等の効果も併せ持っている。
【００４８】
このスカート５に囲まれた内側には、本体１０の中心部に設けた開口３ａの下方に位置するプール６が配設されている。このプール６は、開口３ａとほぼ同心に配設されており、中底８ａによって上部プール６ａと下部プール６ｂとに仕切られている。上部プール６ａは、開口３ａ側が開放されている。上部プール６ａと下部プール６ｂとは、複数設けた連通部１５によって連通している。この複数の連通部１５それぞれの内部には、後述する発電機１２を駆動させるための水車１６が配設されている。
【００４９】
このプール６の底板８ｂは、その中央に向かって低くなるコニカル状などにして、波力および風力発電装置１の下方から来る波の揚圧力を減ずるようにすることが好ましい。プール６のプール側壁の外側には、このプール側壁を囲むように浮力室９が形成されている。この浮力室９は、プール側壁と、傾斜部３の傾斜面３ｂの裏面と、隔壁９ａとによって密閉可能な空間として形成されている。この浮力室９には浮力の調整のためのバラスト水が出入りするため、不図示のノズルや通気配管ならびにポンプ装置、波浪の大小による装置の浮沈コントロール設備などが設けられている。
【００５０】
傾斜面３ｂには、取水口２１が設けられており、この取水口２１からは上部プール６ａまで連通する取水路２２が設けられている。この取水路２２は、本体１０の外部の水を上部プール６ａに取り込むための水流路である。この取水路２２の上部プール６ａの近傍には、上部プール６ａに取り込んだ水が本体１０の外部側へ逆流することを防止するための逆止手段２３が配設されている。
【００５１】
この逆止手段２３は、逆止弁でもよいが、より簡易な構造のものとして、取水路２２を塞ぐことができる板状体を、取水路２２を塞いだ状態よりも取水口２１側へは揺動しないように取り付けたものでよい。なお、逆止手段２３の取り付け位置は、取水路２２の上部プール６ａの近傍に限られず、上部プール６ａに取り込んだ水が本体１０の外部側へ逆流することを防止できる位置であればよい。
【００５２】
また、傾斜面３ｂには、取水口２１に並んで排水口３１が設けられている。この排水口３１からは下部プール６ｂまで連通する排水路３２が設けられている。この排水路３２は、下部プール６ｂの水を本体１０の外部に排水するための排水路である。この排水路３２の排水口３１の近傍には、本体１０の外部の水が下部プール６ｂに進入することを防止するための進入防止手段３３が配設されている。
【００５３】
この進入防止手段３３は、逆止弁でもよいが、より簡易な構造のものとして、排水路３２を塞ぐことができる板状体を、排水路３２を塞いだ位置よりも排水路３２側へは揺動しないように取り付けたものでよい。なお、進入防止手段３３の取り付け位置は、排水路３２の排水口３１の近傍に限られず、本体１０の外部の水が下部プール６ｂに進入することを防止できる位置であればよい。
【００５４】
これら取水路２２と排水路３２とは、それらを一組として、前記取水路２２と排水路３２の複数組を前記の傾斜面３ｂの全周にわたって略等間隔に配設することが好ましい。例えば、隣り合う２つの収斂堤１１によって画成された傾斜面３ｂごとに一組を配設する。なお、一組の取水路２２と排水路３２とを収斂堤１１によって画成された傾斜面３ｂごとではなく、画成された傾斜面３ｂの一つ置きに配設してもよいし、二つ置き以上間隔をあけても良い。すなわち、略等間隔に配設すればよい。
【００５５】
これにより、水上発電装置１を水上に設置する際に、波の寄せてくる向きや水流の向きを考慮することなく水上発電装置１をどのような向きに設置しても変わらない発電効率で発電することができる。
【００５６】
前記のように連通部１５内には、連通部１５内を上部プール６ａから下部プール６ｂへ流れる水を利用して発電機１２を駆動させるための水車１６が配設されている。水車１６は、その回転軸１７が連通部１５の中心と同心となるように延設されている。これら水車１６の回転軸１７の上部には不図示の変速機が連結されており、該変速機を介して発電機１２が連結されている。
【００５７】
連通部１５内には水車１６よりも下流部分に不図示の開閉弁が設けられている。この開閉弁を閉じることによって上部プール６ａから下部プール６ｂへの水の流れを止めて水車１６が回転しないようにすることができる。
【００５８】
図７および図８は、発電機１２を制御するための回路の異なる形態を例示する回路図である。  
発電機１２は、図７および図８に例示したような回路によって回転数を制御することができる。
【００５９】
図７に示したものは、発電機１２を抵抗値の異なる複数の抵抗に択一的に接続できるようにしたものであり、図８に示したものは、容量の異なる複数の蓄電池部に択一的に接続できるようにしたものである。図８では、１つの蓄電池からなる蓄電池部と、２つの蓄電池からなる蓄電池部と、３つの蓄電池からなる蓄電池部とに択一的に選択できるものとして例示されている。
【００６０】
図７または図８に示した回路に接続されている発電機１２は、蓄電池部や抵抗値などを択一的に変化させることに伴って発生電圧、電流などを変化させる負荷制御によって回転数を制御することができる。したがって、発電機１２と連動する水車１６の回転数を制御することができる。
【００６１】
このように発電機１２に連動する水車１６の回転を制御することにより、プール６内の水の排水量は、ある程度制御することができる。この発電機１２の回転制御は、装置本体１０内に設けるバラストタンク、並びにそのバラスト水の出し入れによるものとは別々の制御であるが、それらとの連携制御にすることもある。
【００６２】
水上発電装置１の本体１０の上部には、本体１０の中心部を縦方向に延びる仮想の中心線を中心にする支柱４０１が延設されている。すなわち、支柱４０１は、本体１０の中心部を上方に向かってほぼ鉛直に延設されている。
【００６３】
この支柱４０１の上端には風力発電装置４００が設けられている。風力発電装置４００は、風車４０２を備え、この風車４０２の回転によって発電するものである。
【００６４】
本体１０は、中心部のプール６を貫通する支持部４０が配設されている。支持部４０は、上下方向に伸縮可能な多段状を成すものであり、最下端に錘５０が取り付けられている。図６に例示した支持部４０は、４段に構成されたものである。
【００６５】
支持部４０は、同心円で径の異なる３つ支持管４１０，４２０，４３０と支持棒４４０とから構成されている。支持管４１０，４２０，４３０は、最外郭の支持管４１０と、該支持管４１０の内部に収納可能な支持管４２０と、該支持管４２０の内部に収納可能な支持管４３０である。支持管４３０の内部には下端部に錘５０が取り付けられた支持棒４４０が出没可能に収納されている。なお、支持部４０を構成する支持管４１０，４２０，４３０と支持棒４４０は、断面が円形のものである必要はなく、多角形や楕円形であっても良い。
【００６６】
最外郭の支持管４１０は、プール６の中心を貫通し、プール６の中底８ａおよび底部８ｂに固定されている。支持管４１０の上部にはフランジ４１１が設けられており、下部にはフランジ４１２が設けられている。
【００６７】
また、支持管４２０の上部にはスリーブ４２３、フランジ４２１、下部にはフランジ４２２が設けられている。支持管４３０の上部にはスリーブ４３３、下部にはフランジ４３２が設けられている。支持棒４４０の上部にはスリーブ４４３、下部にはフランジ４４２が設けられている。
【００６８】
支持管４１０，４２０，４３０と支持棒４４０は、前記のスリーブ４２３，４３３，４４３で滑り動作ができる。また、それぞれが脱落したり上方に抜けないように前記のフランジ４１１，４１２，４２１，４２２，４３２，４４２の大きさが適宜に設定されている。以上のように構成されている支持部４０は、支持管４１０，４２０，４３０と支持棒４４０を上下方向に伸縮可能に変位させることができる。
【００６９】
支持棒４４０の下部に取り付けられた錘５０の内部には浮力室５１が設けられ、この浮力室５１内に水と空気を出し入れして錘５０内の水と空気の量を変化させることにより、錘５０の上下の位置の調整作業が行いやすく、水上発電装置１の運転時には本体１０の中心線をほぼ鉛直に保つことができる。浮力室５１への水の注入および排水は、不図示のポンプ等を備える一般的な注入排出手段によって行われる。また、浮力室５１は錘５０の中心に近付くにつれ、上下方向の幅を広くし、錘５０の底板５２はドレーンが溜まりやすく、錘５０の天板５３は空気が溜まりやすくなっている。ドレーンや空気が溜まる部分には、ドレーンや空気を抜き取るための内管や弁等が取り付けられている。
【００７０】
なお、錘５０は、本体の中心線方向をほぼ鉛直に保つことができるとともに、底板５２が前記の中心線方向に直交して広がる抵抗面を成しているので、抵抗面の水に対する抵抗によって本体１０の上下動を減じることができる。浮力室５１には、設計次第によってはコンクリートや鉄スクラップ、鉱石、石材などを入れた固定錘としてもよい。
また、水上発電装置１の設置場所や用途によっては、錘５０は、底板５２と天板５３とを平板にして合わせて一体にして浮力室５１のないものとしても良いし、一枚の平板から成るものとしてもよい。
【００７１】
支持棒４４０の上端部には、錘５０の上下の位置を調整するワイヤー４５３を取り付けるためのアイプレート４４４が設けられており、該アイプレート４４４にはリング環４４５が取り付けられている。このリング環４４５にはワイヤー４５３の下端に取り付けたフック４４６を掛けることができる。
【００７２】
一方、風力発電装置４００が設けられている支柱４０１の内部には滑車４５０とホイスト４５１を取り付けるビーム４５２が支柱４０１の内部に設けられている。このホイスト４５１のワイヤー４５３を巻き上げることによって支持部４０が引き上げられて錘５０が吊り上げられる。
【００７３】
また、ホイスト４５１のワイヤー４５３を緩めることにより、錘５０は支持部４０とともに降下し、支持管４２０，４３０と支持棒４４０を下方に限界まで伸ばして錘５０を最下端まで下げることができる。また、スリーブ４２３，４３３，４４３やフランジ４１１，４１２，４２１，４２２，４３２，４４２にピンや固定金物などを取り付けることにより、支持部４０の伸縮を調整でき、長さを固定化することができる。
【００７４】
以上のように構成された水上発電装置１は、起き上がりこぼしの原理や、やじろべえの原理などを踏まえた上で、水上発電装置１全体が転倒しないように設計されている。
【００７５】
次に実施の形態の作用を説明する。  
水上発電装置１は、水面Ｓ上に浮かぶ浮体構造物であると同時に、傾斜部３の傾斜面３ｂが渚と同様の作用をするため、浮島渚とも浮遊渚とも言えるものであり、波や潮流、河川等の水流の発生する水域に設置される。水上発電装置１の本体１０は、海底のような水底ＳＧから係留装置の係留チェーン２により係留してある。
【００７６】
水上発電装置１の平面形状は、傾斜部３が均等なリング状の多角形をなしているために、波がどの方向から来てもほぼ同様の作動ができ、ほぼ同様の効果が得られる。したがって、水上発電装置１を設置する際に、原理的に特定の設置方向を定める必要はない。
【００７７】
水上発電装置１に寄せて来た波Ｗや河川水の水流、海流、潮流、潮汐などの水流は、先ず、バランス浮体Ｂに当たるか直接に傾斜部３の傾斜面３ｂに乗り上げる。バランス浮体Ｂは前記したとおり、所定の間隔を保ちながら収斂堤１１の延長線上に配置されているので、バランス浮体Ｂに当たった波Ｗはバランス浮体Ｂの両側に分かれて進み、側壁４の上を通過して収斂堤１１で仕切られた傾斜部３の傾斜面３ｂに乗り上げる。
【００７８】
この水上発電装置１に寄せて来た波Ｗや水流は、収斂堤１１で仕切られた本体１０の傾斜面３ｂに乗り上がり、傾斜面３ｂを中心部の開口３ａに向かって進む。本体１０の隣り合う収斂堤１１同士の間隔は中心部に向かって狭くなっているので、波Ｗは、中心部に近付くにつれて収斂堤１１によって絞り上げられるような収斂作用によって収斂されるとともに波高が高くなる。
【００７９】
波Ｗは、各々の傾斜部３の傾斜面３ｂ上で収斂、波打ち作用、砕波現象などを繰り返しながら最後に傾斜部３の頂点を越波して開口３ａからプール６内に落ちる。また、波Ｗや水流は、開口３ａから上部プール６ａに入るほか、本体１０の傾斜面３ｂに設けた取水口２１から取水路２２に入って上部プール６ａに流れ込む。
【００８０】
これにより、波Ｗが傾斜面３ｂを開口３ａまで遡上する程高くなかったり、水流が傾斜面３ｂを開口３ａまで上る程強くない状況下でも、上部プール６ａに水を取り込むことができる。また、取水路２２に設けた逆止手段２３は、上部プール６ａに取り込んだ水が取水路２２内を本体の外部側へ向かって逆流することを防止するので、水を本体１０の外部からプール６内により効率よく取り込むことができる。
【００８１】
より具体的に説明すれば、水上発電装置１を上から見て傾斜面３ｂのどこかに波Ｗの山部が有るとすれば、水はこの傾斜面３ｂに設けた取水口２１から取水路２２を通り、上部プール６ａに流れ込む。水上発電装置１の作動を一定の時間で区切り、その間の水の流れを見れば、時計の針が回るようにある程度の均等な角速度をもって時計回りの流れと反時計回りの流れとが同時に起こるような現象でプール６内に波Ｗが入ることになる。このような現象はある程度の平滑化された入力とみなすこともできる。
【００８２】
これにより、例えば大海にぽっかり浮かんだ小島のように、大海全体としてはある程度一定の方向に波Ｗが進行している場合でも、小島の中に立って小島そのものの波打ち際を見ればある程度の方向性はあるものの、全周囲からその小島に波Ｗが押し寄せてくる。例えば、大海の波Ｗの進行方向とは全く逆方向の下手側においても、波Ｗはある程度小波にはなっているものの、その下手側からもその小島に対して廻り波、返し波のような現象でその海岸線に打ち寄せてくる。
【００８３】
この現象を本発明の水上発電装置１に利用して、どのような方向からどのような状況で入射してくる波Ｗであっても、効率よく収斂堤１１で区切られた傾斜部３の傾斜面３ｂ上に、すなわち水上発電装置１内に有効に取り入れ、次々と越波してくる波Ｗや河川の水流、海流、潮流、潮汐などの水流を効率良くプール６内に取り入れることができる。
【００８４】
取水路２２や開口３ａから上部プール６ａに入った水は、傾斜面３ｂを遡上した水位と本体１０の外部の水の水位との水位差によって、上部プール６ａと下部プール６ｂとを連通する連通部１５内に配設した水車１６を回転させる。
【００８５】
水車１６が回転すると、水車１６から上方に向けて延設されている回転軸１７が回転して水車１６に連動する発電機１２が発電をする。水車１６の回転部が回転すると、回転軸１７には保護管が設けられているために、水の流れや波浪現象等による水撃から回転軸１７の回転を保護することができる。
【００８６】
水車１６を回転させた水は、連通部１５によって連通されている下部プール６ｂへ流れ込む。下部プール６ｂへ水が流れ込むと、既に下部プール６ｂに入っていた水が排水路３２へ押し出されて、傾斜面３ｂに設けられた排水口３１から本体１０の外へ排水される。排水路３２に設けた進入防止手段３３は、本体１０の外部の水が排水口３１から排水路３２に入って下部プール６ｂに進入することを防止できるので、より効率よく発電することができる。
【００８７】
したがって、水上発電装置１を上から見たときに、傾斜面３ｂのどこかに波Ｗの谷部があるとすれば、この傾斜面３ｂに設けた排水口３１の排水路３２を通って下部プール６ｂ内の壬水が排水される。
【００８８】
また、水上発電装置１を側方から見たときに、例えば入射波の山が水上発電装置１の前部にあり、波Ｗの谷が水上発電装置１の反対側の後部にあるとすると、水上発電装置１の前部の波Ｗの山と後部の波Ｗの谷では、取水と排水とが同時に行われるため、非常に発電効率がよい。
【００８９】
例えば、ピストン式内燃機関等において１２気筒エンジンでは圧縮と爆発の行程を少しずつずらして時間差をつけて一行程を動作させている。本発明に係る水上発電装置１では、収斂堤１１によって傾斜部３が１２等分に分割されていて、到来する波Ｗがこれらに入射する屈折角度の違いから、時間差をもって波の山と谷が訪れるために、１２気筒の内燃機関とほぼ類似の動作となる。
【００９０】
なお、本実施の形態においては、取水路２２と排水路３２とを一組とし、取水路２２と排水路３２の複数組を傾斜面３ｂの全周にわたって略等間隔に配設してあるので、寄せてくる波Ｗの方向や水流の方向に対する本体１０の向きにかかわらず、波Ｗや水流から水を効率よく取り込んで利用することができる。
【００９１】
水車１６の回転を止めるには、水車１６の下方に設けてある開閉弁１４を閉状態にすればよい。この各開閉弁１４を適宜に開状態または閉状態にしておくことにより、必要に応じて水車１６を動力源とする発電機１２を稼動させたり、停止させたりすることができる。
【００９２】
発電機１２の稼動と停止の他に、ブレーキ制御や電圧、電流などを変化させる負荷制御によって発電機１２の回転数を制御することができる。発電機１２の回転数を制御することは、これに連動する水車１６の回転数を制御することになる。この水車１６の回転数制御は、プール６内の排水量を制御することになり、それはすなわち、プール６内の貯水量を制御することになる。
【００９３】
水車１６の回転数が制御されると装置本体１０の中心部に設けたプール６内の水の排水量が制御され、これにともない、プール６内の貯水量が制御される。この貯水量の制御が波Ｗの運動における水上発電装置１の固有振動数、固有周期などを持って水上発電装置１自体の振動を制御できる。例えば、プール６内の貯水量を増加することにより、水上発電装置１の重量が大きくなるので振動や上下動などを防止できる。これにより、風力発電装置４００の発電効率の上昇につながるばかりでなく、大波時における水上発電装置１の破壊を防止することができる。
【００９４】
風力発電装置４００は、本体１０の上部から上方に向けて延設した支柱４０１に設けてある風車４０２が風を受けて回転することによって発電する。これにより水上発電装置１は、水力による発電に加えて風力を利用した発電も行える。このため、より多くの発電量を得ることができる。さらに、錘５０の作用で装置本体１０の縦方向の中心線がほぼ鉛直に保たれるとともに、錘５０の抵抗面による水の抵抗を利用して水上発電装置１の上下動が拘束され、風力発電装置４００を支える支柱４０１がほぼ鉛直に保たれる。これにより、風力発電装置４００の風車４０２を安全に、かつ、スムーズに回転することができて発電効率が上昇する。さらに、水上発電装置１の破壊や故障を防止することができる。
【００９５】
錘５０は、本体１０の中心部の下方に向けて延設された支持部４０の下端部に取り付けられており、底板５２と天板５３とが本体１０の中心線方向に直交して広がる抵抗面を有しているので、波を受けても本体１０の中心線方向をほぼ鉛直に保つことができるとともに、抵抗面の水に対する抵抗によって本体の上下動を減じることもできるので、安定した発電を行うことができる。
【００９６】
また、図６に示したように、錘５０を取り付けた支持部４０は上下方向に変位可能であるので、水上発電装置１の移動の際に錘５０を上方に変位させておくことにより、水上発電装置１は水深の浅いところでも容易に移動させることができる。例えば、水深の比較的浅い海底条件による水上発電装置１のドック引出し、運搬、曳航時の作業には、支持棒４４０を挿入し、錘５０を吊り上げて、装置の座高を低くすることによって水上発電装置１全体のバランスの調整等ができるので、比較的簡単に作業を行うことができる。
【００９７】
また、錘５０は、その内部に貯水可能な空洞の浮力室５１を備えているので、浮力室５１を空にしたり、任意の水量を貯水したりすることによっても水上発電装置１全体のバランスをより良く調整することができる。
【００９８】
また、本発明の実施の形態に係る水上発電装置１の使用は、海水域や湖沼等での使用の他に、図４および図５に示したように水流のある河川や汽水域でも使用することもできる。
【００９９】
以上の作動原理により水上発電装置１の上下動の少ない本体１０に、風力発電装置４００を設けることによって非常に合理的でありしかも発電効率のよい発電装置とすることができる。また、波Ｗが水上発電装置１に進入する際に、先ず傾斜部３に当たり傾斜面３ｂ上を遡上することと、収斂堤１１で仕切られた各区分けされた部分は、それぞれ波Ｗや流水の入射角度が違い、全ての力を斜めにで受けて直交面で受けることがないために、波圧、水流、水撃などの分散効果があり、波圧や水流による衝撃力が小さいところにも振動、揺動等を防止し、効率上昇と耐久性、経済性のメリットがある。
【０１００】
なお、装置本体１０の下方に設けたスカート５の下端と錘５０とを補鉄骨、ワイヤー、ロープ、チェーン等で連結することにより、水上発電装置１の揺動などに対して強度的な向上を図ることができ、非常に安定性のあるものとなる。したがって、海の波Ｗに対しても水上発電装置１が揺動したり、上下動したりしにくい浮体となり、風力発電装置４００の支柱４０１がほぼ鉛直に立ち、傾きにくい水上発電装置１となる。
【０１０１】
また、水車１６で発電した電力と、風力発電装置４００で発電した電力を各々別途に陸上に送電してもよし、或いは変換装置などを介して、系統を一本にまとめ陸上に送電してもよい。
【産業上の利用可能性】
【０１０２】
本発明に係る水上発電装置は、水上であれば一般に広く使用することができる。
【符号の説明】
【０１０３】
Ｂ…バランス浮体
Ｓ…水面
ＳＧ…水底
Ｗ…波
１…水上発電装置
２…係留チェーン
３…傾斜部
３ａ…開口
３ｂ…傾斜面
４…側壁
５…スカート
６…プール
６ａ…上部プール
６ｂ…下部プール
８ａ…中底
８ｂ…底板
９…浮力室
９ａ…隔壁
１０…本体
１１…収斂堤
１２…発電機
１４…開閉弁
１５…連通部
１６…水車
１７…回転軸
２１…取水口
２２…取水路
２３…逆止手段
３１…排水口
３２…排水路
３３…進入防止手段
４０…支持部
５０…錘
５１…浮力室
５２…底板
５３…天板
４００…風力発電装置
４０１…支柱
４０２…風車
４１０…支持管
４１１…フランジ
４１２…フランジ
４２０…支持管
４２１…フランジ
４２２…フランジ
４２３…スリーブ
４３０…支持管
４３２…フランジ
４３３…スリーブ
４４０…支持棒
４４２…フランジ
４４３…スリーブ
４５０…滑車
４５１…ホイスト
４５２…ビーム
【図１】
0005688764.tif 000002
【図２】
0005688764.tif 000003
【図３】
0005688764.tif 000004
【図４】
0005688764.tif 000005
【図５】
0005688764.tif 000006
【図６】
0005688764.tif 000007
【図７】
0005688764.tif 000008
【図８】
0005688764.tif 000009